(57)【特許請求の範囲】
【請求項１】
測定点指示部から追尾用の光を出力する追尾光発光部と、計測ヘッド部に配置され、上記追尾光発光部からの追尾光を、標準用対物光学系を介して標準範囲で受光する標準追尾用受光部とを備え、この標準追尾用受光部の追尾光検出に基づき、上記計測ヘッド部が上記測定点指示部へ向くように追尾する位置計測作図用自動追尾装置において、
上記標準追尾用受光部とは別個に配置され、広範囲用対物光学系を介して追尾光を受光する受光部であって、中心部配置の４分割素子からなり、上記標準範囲よりも広い第１広範囲で追尾光を検出する中心素子と、この中心素子の左右両側のそれぞれの方向へ多分割の縦長受光領域を持つように配置され、上記第１広範囲より左右方向外側の第２広範囲で追尾光を検出し、左右の追尾光出力方向の角度を判定する左右素子と、を有する広範囲追尾用受光部を設け、
上記第２広範囲では、判定された追尾光出力方向の角度が小さくなる方向へ上記計測ヘッド部を駆動することにより追尾光が上記第１広範囲で検出できるように動作し、この第１広範囲では、上記計測ヘッド部が上記測定点指示部へ向くように駆動することにより追尾光が上記標準範囲で検出できるように動作することを特徴とする位置計測作図用自動追尾装置。
【請求項２】
上記広範囲追尾用受光部に、上記中心素子の上下両側に配置された横長の上下素子を設けたことを特徴とする請求項１記載の位置計測作図用自動追尾装置。
【発明の詳細な説明】
【０００１】
【発明の属する技術分野】
本発明は、特に交通事故見分における現場見取図等を作成する位置計測作図装置に用いられ、計測ヘッド部を測定点指示部へ自動的に向けるための自動追尾装置の構成に関する。
【０００２】
【従来の技術】
交通事故処理業務等において、事故現場の関係地点間の測定と見取図の作成を迅速かつ正確に行うために位置計測作図装置が用いられ、このような位置計測作図装置において計測部の位置決めのために自動追尾装置が用いられる。従来において自動追尾装置を適用した位置計測作図装置は、例えば図１２に示される構成となっている。
【０００３】
図１２において、位置計測作図装置は事故処理車等に搭載される計測機１と道路等の測定地点にセットされる測定点指示部（ターゲット）２を備えており、この計測機１側では、俯仰方向、旋回方向に回動する計測ヘッド部１Ａが車載架台１Ｂに取り付けられ、この計測ヘッド部１Ａ内に、ＴＶカメラ３や光波距離計４が配置される。この光波距離計４は、受光部５を有し、レーザー光等の測定光を出射しその反射光により距離を測定すると共に、対物光学系４Ａを介して入射した追尾用の光を受光部５で検出するようになっている。
【０００４】
一方、道路等の測定地点のターゲットとして配置される上記測定点指示部２は、指示棒８の所定の高さ位置に設けられたコーナーキューブ反射鏡９とこの反射鏡９の外周部に配置され、追尾用の光を出力するための複数の発光部（ＬＥＤ等）１０を備えている。
【０００５】
このような装置によれば、測定点指示部２をその反射鏡９が計測ヘッド部１Ａの方へ向くように測定点に置くと、この発光部１０から出力される追尾用の光Ｓ1が計測ヘッド部１Ａ側の受光部５で受光されることになり、これによって計測ヘッド部１Ａが反射鏡の正面を向くように回動制御される。そして、この計測ヘッド部１Ａの位置決めが行われた後に、上記光波距離計４は測定光Ｓ2を出射し、上記反射鏡からの反射光を受光することにより、測定点指示部２までの距離を測定する。
【０００６】
そうして、この距離データは、計測ヘッド部１Ａの俯仰角度及び旋回角度情報と共に、不図示の作図演算コンピュータに入力され、このコンピュータでは３次元座標データを演算し、この３次元座標データに基づいて作図処理を行うことになり、この作図データはプロッタ等により出力することができ、これにより現場見取図を得ることができる。
【０００７】
【発明が解決しようとする課題】
しかしながら、上記位置計測作図装置用の自動追尾装置では、上述のように、光波距離計４の対物光学系４Ａを利用して追尾光Ｓ1を同一の受光部へ導く構成となっていることから、追尾を精度よく実行できるという利点がある反面、追尾範囲が狭いという問題がある。即ち、上記対物光学系４Ａは距離測定との関係から焦点距離ｆが比較的長いレンズ系を用いており、追尾のための検出領域が狭くなる。従って、自動追尾中に計測ヘッド部１Ａと測定点指示部２との間に障害物が通過したりすると、追尾動作ができなくなる場合があり、この場合には計測者がＴＶモニタの映像を見ながら手動で指令を与えて計測ヘッド部１Ａを動かし、検出可能領域に入るようにしなければならなかった。
【０００８】
そこで、従来では、特開平１０−１９７２４７号公報に示されるように、広範囲の追尾を可能とするために、焦点距離を短くした対物光学系及び横長の受光素子からなる受光部を設けることが行われている。図１３に、この受光部の受光素子１１の構成が示されており、この受光素子１１では、４分割した受光領域（素子）Ａ0〜Ｄ0の水平方向の長さ（横幅）を長くしたものであり、これによって受光できる水平方向の範囲、即ち追尾範囲を広くすることができる。
【０００９】
しかし、上記の受光素子１１で検出される範囲よりも広い範囲の自動追尾が要請されており、この追尾範囲の更なる拡張が可能となれば手動操作が少なくなり使い勝手のよい便利な位置計測作図装置を得ることができる。一方、図１３の受光素子１１において受光領域Ａ0〜Ｄ0の横幅を更に大きくすることも可能であるが、この横幅の拡張には限界があり、これによって追尾光の検出精度が低下するという問題もある。
【００１０】
本発明は上記問題点に鑑みてなされたものであり、その目的は、更なる広範囲の追尾を高精度の検出下に実現し、使い勝手のよい位置計測作図装置が得られる位置計測作図用自動追尾装置を提供することにある。
【００１１】
【課題を解決するための手段】
上記目的を達成するために、請求項１に係る発明は、測定点指示部から追尾用の光を出力する追尾光発光部と、計測ヘッド部に配置され、上記追尾光発光部からの追尾光を、標準用対物光学系を介して標準範囲で受光する標準追尾用受光部とを備え、この標準追尾用受光部の追尾光検出に基づき、上記計測ヘッド部が上記測定点指示部へ向くように追尾する位置計測作図用自動追尾装置において、上記標準追尾用受光部とは別個に配置され、広範囲用対物光学系を介して追尾光を受光する受光部であって、中心部配置の４分割素子からなり、上記標準範囲よりも広い第１広範囲で追尾光を検出する中心素子と、この中心素子の左右両側のそれぞれの方向へ多分割の縦長（上下方向に長い）受光領域を持つように配置され、上記第１広範囲より左右方向外側の第２広範囲で追尾光を検出し、左右の追尾光出力方向の角度を判定する左右素子と、を有する広範囲追尾用受光部を設け、上記第２広範囲では、判定された追尾光出力方向の角度が小さくなる方向へ上記計測ヘッド部を駆動することにより追尾光が上記第１広範囲で検出できるように動作し、この第１広範囲では、上記計測ヘッド部が上記測定点指示部へ向くように駆動することにより追尾光が上記標準範囲で検出できるように動作することを特徴とする。
請求項２に係る発明は、上記広範囲追尾用受光部に、上記中心素子の上下両側に配置された横長（水平方向に長い）の上下素子を設けたことを特徴とする。
【００１２】
上記の構成によれば、中心素子で捉えられる範囲だけでなく、左右素子によって左右の広い範囲において追尾光が捉えられ、しかも追尾光を受光した位置により、測定点指示部の方向に対し、計測ヘッド部の正面が向く角度（駆動角度）を把握することが可能となる。また、上下素子によれば、上下方向でも広い範囲において追尾光が捉えられることになる。
【００１３】
更に、中心素子の受光領域の横幅（水平方向の幅）又は縦幅（上下方向の幅）を標準追尾用受光部の受光領域よりも広くすること、広範囲追尾用受光部の対物光学系の焦点距離を標準追尾用受光部の対物光学系よりも短く設定することにより、標準追尾用受光部では追尾できない範囲に測定点指示部がある場合でも、第１広範囲又は第２広範囲の広範囲追尾用受光部により、測定点指示部の発光部から出力される光が捉えられ、これにより計測ヘッド部が測定点指示部の測距用反射鏡の方向を向くように動かされる。しかも、第２広範囲追尾用左右素子では左右の追尾光出力方向の角度が判定できるので、上記計測ヘッド部の駆動制御が行い易くなる。
【００１４】
【発明の実施の形態】
図１乃至図２には、実施形態の一例に係る位置計測作図用自動追尾装置の構成が示され、図５には位置計測作図装置が示されており、まずこの位置計測作図装置の全体構成を説明する。図５において、事故処理車等に搭載される計測機１２側には、計測ヘッド部１３が車載架台１４により支持されており、この架台１４によって計測ヘッド部１３が水平状態に維持される。また、この計測ヘッド部１３は俯仰方向及び旋回方向への動作が可能であり、この俯仰角度及び旋回角度は作図データとして当該ヘッド部１３から出力される。
【００１５】
この計測ヘッド部１３内には、測定地点の周辺を撮影するＴＶカメラ１６、対物光学系１７Ａと受光素子１８を有する光波距離計１７、第１広範囲と第２広範囲の光を受光する広範囲追尾用受光部２０が設けられる。上記光波距離計１７は、対物光学系１７Ａを介して測定光を出射し、その反射光を受光して距離を測定することができ、また同一の対物光学系１７Ａを介して入射した追尾光を受光素子１８で捉えることにより、後述の反射鏡部を自動追尾する。
【００１６】
更に、上記計測機１２内には制御部２１と、各部へ動作電力を供給する電源部２２が配置され、上記制御部２１内には、ＴＶモニタ２３、自動追尾回路２４、作図演算部（コンピュータ）２５、操作部２６が設けられる。上記作図演算部２５は、上記計測ヘッド部１３で得られた距離等のデータに基づき、３次元座標上での各測定点の位置を演算し、また各測定点間の距離を求める等、作図のための演算処理をする。上記操作部２６には、測定、作図のための操作スイッチが設けられ、作図モードや作図のためのデータも入力することができる。
【００１７】
一方、上記計測機１２から離れた測定地点には、測定点指示部（ターゲット）２８が設けられ、この測定点指示部２８は、指示棒２９の途中に反射鏡部３０を配置している。この反射鏡部３０は、コーナーキューブ反射鏡３１とこの外周部に等間隔で配置された複数の発光部３２を備えており、この発光部３２により、計測ヘッド部１３の自動追尾機能のための追尾光を出射する。なお、この発光部３２は操作制御のための信号も同時に出力できるようになっており、例えば追尾光をビット情報に対応したパルス光とし、このビット情報を制御情報として利用する。
【００１８】
図１及び図２には、追尾機能に関する構成が示されており、まず上述した光波距離計１７では、図１のように、対物光学系１７Ａが焦点距離ｆ1 のレンズ（又はレンズ群）からなり、図３（Ａ）に示されるように、受光素子１８は全体をａ〜ｄの領域（略正方形）に４分割した素子からなる。この受光素子１８と上記対物光学系１７Ａは、距離測定のための受光部になると共に、標準追尾用受光部としても機能する。
【００１９】
また、この光波距離計１７の近傍に、広範囲追尾用受光部２０が配置されており、この広範囲追尾用受光部２０は、上記焦点距離ｆ1 よりも小さい焦点距離ｆ2 （ｆ2 ＜ｆ1 ）を持つ対物光学（レンズ）系３４と、第１広範囲と第２広範囲の光を受光する受光素子３５から構成される。即ち、上記対物光学系３４は、標準追尾用の対物光学系１７Ａよりも焦点距離を短くして、広範囲の視野を捉えることができるようになっている。
【００２０】
更に、上記受光素子３５は、図３（Ｂ）に示されるように、中心素子として４分割された素子（受光領域）Ａ〜Ｄ、左右素子として縦長（上下方向が長い）の素子（受光領域）Ｇ1 〜Ｇ6 ，Ｒ1 〜Ｒ6 、上下素子として横長（水平方向が長い）の素子（受光領域）Ｅ，Ｆが配置されており、上記の中心素子Ａ〜Ｄは受光領域（受光面）が上記受光素子１８と比較して横長（水平方向が長い）に形成され、対物光学系の焦点距離ｆが同じであった場合でも、広い範囲を検出できるものである。上記上下素子Ｅ，Ｆの受光面は、中心素子Ａ〜Ｄの横幅の約２倍の横幅とされ、上記左右素子Ｇ，Ｒの受光面は上記の中心素子Ａ〜Ｄと上下素子Ｅ，Ｆの配列部の高さと同一の縦幅とされる。
【００２１】
このような受光部の構成によれば、例えば図６に示されるように、左右（水平）方向で説明すると、受光素子（ａ〜ｄ）１８を含む光波距離計１７（標準追尾用受光部）では、角度αの範囲の追尾光を受光することになる。また、広範囲追尾用受光部２０では、中心素子Ａ〜Ｄにて角度βの範囲、左右素子Ｇ1 〜Ｇ6 ，Ｒ1 〜Ｒ6 にて角度γの範囲で角度βの外側の範囲の追尾光を受光し、全体ではγの広い範囲の追尾光を受光できることになる。ここで、上記角度は、α＜β＜γの関係にある。
【００２２】
図１において、上記の受光素子１８，３５には図５で説明した自動追尾回路２４が接続されており、この自動追尾回路２４として、アンプ３７Ａ，３７Ｂが設けられ、また図２に示されるように、フィルタ回路３８Ａ，３８Ｂ，３８Ｃ、同期検波器３９Ａ，３９Ｂ，３９Ｃ、Ａ／Ｄ変換器４０Ａ，４０Ｂ，４０Ｃ及びマイコン４１が設けられる。即ち、上記フィルタ３８Ａ，３８Ｂ，３８Ｃ及び検波器３９Ａ，３９Ｂ，３９Ｃにより、上記測定点指示部２８の発光部３２から出力された発光パルス信号を抽出し、受光素子１８ではａ〜ｄの各素子の光量、受光素子３５ではＡ〜Ｆ，Ｇ1 〜Ｇ6 ，Ｒ1 〜Ｒ6 の各素子の光量を検出する。
【００２３】
そして、上記マイコン４１では、４分割受光素子１８，多分割受光素子３５の検出光量により自動追尾制御のための追尾信号を演算し、上下（俯仰）方向へ上記計測ヘッド部１３を回動させる上下方向追尾信号と、左右（旋回）方向へ回動させる左右方向追尾信号を計測ヘッド部１３へ出力する。
【００２４】
また、上記多分割受光素子３５及びマイコン４１によれば、図４に示されるように、計測ヘッド部（受光素子３５）１３の正面が測定点指示部２８を向くまでの角度を判定することができる。即ち、図４では、各結像点毎の主光線が示されており、中心素子Ａ〜Ｄ及び上下素子Ｅ，Ｆで追尾光を検出したときは、角度０〜θ0 の範囲であるが、例えば左右素子Ｒ1 〜Ｒ6 で検出したときは、左方向への角度θ1 〜θ6 即ちＲ1 のときθ1 、Ｒ2 のときθ2 、Ｒ3 のときθ3 、Ｒ4 のときθ4 、Ｒ5 のときθ5 、Ｒ6 のときθ6 が判定され、逆に左右素子Ｇ1 〜Ｇ6 で検出したときは、右方向への角度θ1 〜θ6 が特定できることになる。
【００２５】
更に、上記自動追尾回路２４では、上記受光素子ａ〜ｄ，Ａ〜Ｄ，Ｅ，Ｆ，Ｇ1 〜Ｇ6 ，Ｒ1 〜Ｒ6 の感度をアンプ３７Ａ，３７Ｂ等により段階的に変えることができるように構成される。例えば、障害物等により受光状態が途絶えて追尾ができなくなったとき、受光素子Ａ〜Ｄ，Ｅ，Ｆ，Ｇ1 〜Ｇ6 ，Ｒ1 〜Ｒ6 の全てにおいて追尾光が検出されないとき、受光素子ａ〜ｄにおいて追尾光が検出されないとき等には、最低の受光感度へ戻し、ここから１段階ずつ感度を上げながら追尾光の検出を実行しており、これによって良好な追尾動作を確保している。
【００２６】
実施形態例は以上の構成からなり、以下にその作用を説明する。図６には、計測ヘッド部１３の追尾動作が示され、図７乃至図１０には、上記マイコン４１で実行される追尾処理制御が示されている。まず、現場見取図の作成では、図５の測定点指示部２８の指示棒２９の先端を測定点に置き、反射鏡部３０を計測ヘッド部１３へ向ける。このとき、この反射鏡部３０の発光部３２から追尾光（Ｓ1 ）が出射されることになり、この追尾光を計測ヘッド部１３の標準追尾用受光部（１７Ａ，１８）と広範囲追尾用受光部２０で受光し、図７の追尾処理を行う。
【００２７】
図７において、ステップ１０１では、標準追尾用の受光素子１８のａ〜ｄの素子で検出された光量Ｓａ，Ｓｂ，Ｓｃ，Ｓｄがしきい値Ｊよりも大きいか否かが検出され、何れかの光量がＪ値よりも大きい［Ｙ（YES）］とき、ステップ１０２の標準範囲追尾制御（図８）へ移行する。また、Ｊ値よりも小さい［Ｎ（NO）］ときは、ステップ１０３にて、第１広範囲を追尾するための受光素子３５のＡ〜Ｄの中心素子で検出された光量ＳA ，ＳB ，ＳC ，ＳD がしきい値ｊよりも大きいか否かが検出され、何れかの光量がｊ値よりも大きい（Ｙ）ときは、ステップ１０４の第１広範囲追尾制御（図９）へ移行する。
【００２８】
更に、上記ステップ１０３にて上記ｊ値よりも小さい（Ｎ）ときは、ステップ１０５により、第２広範囲を追尾するための受光素子３５のＧ1 〜Ｇ6 ，Ｒ1 〜Ｒ6の左右素子とＥ，Ｆの上下素子で検出された光量ＳG1〜ＳG6，ＳR1〜ＳR6 ，ＳE ,ＳFがしきい値ｉよりも大きいか否かが検出され、何れかの光量がｉ値よりも大きい（Ｙ）ときは、ステップ１０６の第２広範囲追尾制御（図１０）へ移行する。一方、何れの光量もｉ値より小さい［Ｎ］ときは、距離が遠いか或いは光路が遮られた場合で、ステップ１０７の検出外処理を行う。
【００２９】
図８には、標準範囲追尾制御の動作、図９には第１広範囲追尾制御の動作、図１０には第２広範囲追尾制御の動作が示されており、これらの動作を図６の（Ａ）の状態から（Ｃ）の状態まで追尾されるものとして説明する。この図６（Ａ）の状態では、上記図７の追尾処理にて図１０の第２広範囲追尾制御が実行される。
【００３０】
図１０において、ステップ４０１では、｛（ＳG1−ＳR1），（ＳG2−ＳR2），（ＳG3−ＳR3），（ＳG4−ＳR4），（ＳG5−ＳR5），（ＳG6−ＳR6）の最大値｝＞Ｋ4 （Ｋ4 ：定数）を満たすか否かの判定が行われ、Ｙのとき、即ち左方向から追尾光が検出されたとき、左方向への追尾信号を出力し（ステップ４０２）、ステップ４０４では、｛（ＳG1−ＳR1），（ＳG2−ＳR2），（ＳG3−ＳR3），（ＳG4−ＳR4），（ＳG5−ＳR5），（ＳG6−ＳR6）の最大値｝＜−Ｋ4を満たすか否かの判定が行われ、Ｙのとき、即ち右方向から追尾光が検出されたとき、右方向への追尾信号を出力する（ステップ４０５）。
【００３１】
また、ステップ４０７では（ＳE −ＳF ）＞Ｋ3 （Ｋ3 ：定数）を満たすか否かの判定が行われ、Ｙのとき、即ち下方向から追尾光が検出されたとき、下方向への追尾信号を出力し（ステップ４０８）、ステップ４１０では（ＳE −ＳF ）＜−Ｋ3 を満たすか否かの判定が行われ、Ｙのとき、即ち上方向から追尾光が検出されたとき、上方向への追尾信号を出力する（ステップ４１１）。そして、上記各判定ステップ４０１，４０４，４０７，４１０でＮのときは所定方向への追尾信号を出力しない（ステップ４０３，４０６，４０９，４１２）ことになり、このような動作による追尾信号に基づき、計測ヘッド部１３は、図６（Ａ）の角度γの範囲内から図６（Ｃ）の角度βの範囲内まで駆動され、この後に、図９の第１広範囲追尾制御が行われる。
【００３２】
図９において、ステップ３０１では（ＳA ＋ＳB ）−（ＳC ＋ＳD ）＞Ｋ1 （Ｋ1 ：定数）を満たすか否かの判定が行われ、Ｙのとき、即ち下方向から追尾光が検出されたとき、下方向への追尾信号を出力し（ステップ３０２）、ステップ３０４では（ＳA ＋ＳB ）−（ＳC ＋ＳD ）＜−Ｋ1 を満たすか否かの判定が行われ、Ｙのとき、即ち上方向から追尾光が検出されたとき、上方向への追尾信号を出力し（ステップ３０５）、ステップ３０７では（ＳA ＋ＳD ）−（ＳB ＋ＳC ）＞Ｋ2 （Ｋ2 ：定数）を満たすか否かの判定が行われ、Ｙのとき、即ち左方向から追尾光が検出されたとき、左方向への追尾信号を出力し（ステップ３０８）、ステップ３１０では（ＳA ＋ＳD ）−（ＳB ＋ＳC ）＜−Ｋ2 を満たすか否かの判定が行われ、Ｙのとき、即ち右方向から追尾光が検出されたとき、右方向への追尾信号を出力する（ステップ３１１）。
【００３３】
また、各判定ステップ３０１，３０４，３０７，３１０でＮのときは追尾信号を出力しない（ステップ３０３，３０６，３０９，３１２）ことになり、このような動作によって計測ヘッド部１３は、図６（Ｂ）の角度βの範囲内から図６（Ｃ）の角度αの範囲内まで駆動され、この後に、図８の標準範囲追尾制御が行われる。
【００３４】
図８において、この標準範囲追尾制御動作も定数ｋ1 ，ｋ2 の相違があるだけで上記図９の動作と基本的には同じとなる。即ち、ステップ２０１にて（Ｓａ＋Ｓｂ）−（Ｓｃ＋Ｓｄ）＞ｋ1を満たすか否かの判定が行われ、Ｙのとき、下方向への追尾信号を出力し（ステップ２０２）、ステップ２０４にて（Ｓａ＋Ｓｂ）−（Ｓｃ＋Ｓｄ）＜−ｋ1の判定が行われ、Ｙのとき、上方向への追尾信号を出力し（ステップ２０５）、ステップ２０７では（Ｓａ＋Ｓｄ）−（Ｓｂ＋Ｓｃ）＞ｋ2の判定が行われ、Ｙのとき、左方向への追尾信号を出力し（ステップ２０８）、ステップ２１０では（Ｓａ＋Ｓｄ）−（Ｓｂ＋Ｓｃ）＜−ｋ2 の判定が行われ、Ｙのとき、右方向への追尾信号を出力する（ステップ２１１）。
【００３５】
なお、各判定ステップ２０１，２０４，２０７，２１０でＮのときは追尾信号を出力しない（ステップ２０３，２０６，２０９，２１２）ことになり、このような標準範囲追尾制御により、図６（Ｃ）に示されるように、上記計測ヘッド部１３は測定点指示部２８の反射鏡部３０の正面を向くことになる。
【００３６】
その後、上記光波距離計１７において、図５に示されるように、測定光を出射し、コーナーキューブ反射鏡３１から反射された反射光（Ｓ2 ）を受光して距離測定が行われ、この距離測定値は上記の自動追尾の際に動かした計測ヘッド部１３の現在の俯仰角度及び旋回角度と共に、作図演算部２５へ出力される。そして、この作図演算部２５からプロッターへ作図データを出力することにより、現場見取図が印刷される。
【００３７】
上記例の第２範囲追尾制御では、左右素子の差ＳGn−ＳRnの（ｎ：整数）の何れかの最大値が定数を超えているか否かを判定したが、この最大値の素子（番号）が何れであるかを判定することにより、図４で説明したように、追尾光の方向に対し計測ヘッド部１３が向く角度θ（θ0 〜θ6 ）が分かるので、この角度θのデータを制御に利用することが可能となる。例えば、この角度θをディスプレイ上に表示したり、この駆動角度θを利用した各種の制御により計測ヘッド部１３を回転駆動させることができる。
【００３８】
図１１には、広範囲追尾用受光部２０の受光素子の他の構成例が示されており、図（Ａ）の受光素子４４は、中心素子として縦長の受光領域を有する素子Ａ’，Ｂ’，Ｃ’，Ｄ’を設けたものである。また、図（Ｂ）の受光素子４５は、中心素子として標準範囲追尾用の上記受光素子１８と同様の略正方形の素子ａ，ｂ，ｃ，ｄを設け、上下素子として上記中心素子領域の横幅と同一の横長の素子Ｅ’，Ｆ’を設けたものである。そして、これらの中心素子の左右に、上記左右素子Ｇ1 〜Ｇ6 ，Ｒ1 〜Ｒ6 を配置することになり、この左右素子の数も６個以上とすることができる。なお、これらの受光素子４４，４５（３５）は、上記受光素子１８を設けずに、単独で配置してもよい。
【００３９】
【発明の効果】
以上説明したように、請求項１の発明によれば、標準追尾用受光部とは別個に配置され、広範囲用対物光学系を介して追尾光を受光する受光部であって、中心部配置の４分割素子からなり、標準範囲よりも広い第１広範囲で追尾光を検出する中心素子と、この中心素子の左右両側のそれぞれの方向へ多分割縦長受光領域を持つように配置され、第１広範囲より左右方向外側の第２広範囲で追尾光を検出し、左右の追尾光出力方向の角度を判定する左右素子とを有する広範囲追尾用受光部を設け、上記の第２広範囲では、判定された追尾光出力方向の角度が小さくなる方向へ計測ヘッド部を駆動することにより追尾光が第１広範囲で検出できるように動作し、この第１広範囲では、計測ヘッド部が測定点指示部へ向くように駆動することにより追尾光が標準範囲で検出できるように動作するので、標準範囲、第１広範囲、第２広範囲の３つの範囲で追尾光を検出することができ、広範囲かつ高精度で追尾制御を行うことが可能となり、使い勝手のよい位置計測作図装置が得られるという利点がある。
【図面の簡単な説明】
【図１】本発明の実施形態例に係る位置計測作図用自動追尾装置の受光部の構成を示し、図（Ａ）は標準範囲追尾用受光部分、図（Ｂ）は広範囲追尾用受光部分の図である。
【図２】実施形態例の自動追尾回路の構成を示すブロック図である。
【図３】実施形態例装置の受光部における受光素子の構成を示し、図（Ａ）は標準範囲追尾用の受光素子、図（Ｂ）は広範囲追尾用の受光素子の図である。
【図４】実施形態例の広範囲追尾用受光部で得られる追尾光に対する角度情報を示す図である。
【図５】実施形態例の位置計測作図装置の全体構成を示すブロック図である。
【図６】図５の計測ヘッド部の追尾動作を示す図である。
【図７】図２のマイコンでの追尾処理を示すフローチャートである。
【図８】図７の追尾処理における標準範囲追尾制御動作を示すフローチャートである。
【図９】図７の追尾処理における第１広範囲追尾制御動作を示すフローチャートである。
【図１０】図７の追尾処理における第２広範囲追尾制御動作を示すフローチャートである。
【図１１】実施形態例の広範囲追尾用の受光素子の他の構成例を示す図である。
【図１２】従来の位置計測作図装置の構成を示す図である。
【図１３】従来の受光素子の構成を示す図である。
【符号の説明】
１Ｂ，１４  …  車載架台、  １Ａ，１３  …  計測ヘッド部、
２，２８  …  測定点指示部、
１，１２  …  計測機、
１７  …  光波距離計（追尾用受光素子を含む）、
１７Ａ，３４  …  対物光学系、
１８，３５  …  受光素子、
２０  …  広範囲追尾用受光部、
２４  …  自動追尾回路、  ３０  …  反射鏡部、
３２  …  発光部、        ４１  …  マイコン、
Ａ〜Ｄ  …  中心素子、
Ｇ1 〜Ｇ6 ，Ｒ1 〜Ｒ6  …  左右素子、
Ｅ，Ｆ  …  上下素子。
【図１】
0004175736.tif 000002
【図２】
0004175736.tif 000003
【図３】
0004175736.tif 000004
【図４】
0004175736.tif 000005
【図５】
0004175736.tif 000006
【図６】
0004175736.tif 000007
【図７】
0004175736.tif 000008
【図８】
0004175736.tif 000009
【図９】
0004175736.tif 000010
【図１０】
0004175736.tif 000011
【図１１】
0004175736.tif 000012
【図１２】
0004175736.tif 000013
【図１３】
0004175736.tif 000014